(57)【要約】【課題】周辺の異物にぶつけたり引っ掛けたりしても分離・破損してしまうのを防止でき、またキャラクター的に面白味や楽しみのある指輪玩具とする。【解決手段】種々のキャラクターの顔等の、キャラクターの一部を模した軟質装飾体２と、指Ｐの外径に略対応すべく該軟質装飾体２の左右両側から一体円弧状に延設した軟質リングアーム３とを備え、軟質装飾体２および軟質リングアーム３の素材として合成ゴムを使用する。また、合成ゴムは、施色可能で射出・押出成形可能な非結晶性プラスチックとする。【選択図】図１
0003126033.tif 000002
【実用新案登録請求の範囲】
【請求項１】
種々のキャラクターを模した軟質装飾体と、指の外径に略対応すべく該軟質装飾体の左右両側から一体円弧状に延設された軟質リングアームとを備えたことを特徴とする指輪玩具。
【請求項２】
軟質装飾体および軟質リングアームの素材として合成ゴムを使用した請求項１記載の指輪玩具。
【請求項３】
合成ゴムは、施色可能で射出・押出成形可能な非結晶性プラスチックである請求項２記載の指輪玩具。
【考案の詳細な説明】
【技術分野】
【０００１】
本考案は、主として子供がその手指等に嵌めて遊ぶための指輪玩具に関する。
【背景技術】
【０００２】
従来、この種の指輪玩具としては、例えばプラスチック製のリングの外面に、着色された硬質な合成樹脂製から成る宝石形態の装飾物を支持台座を介して、例えば接着剤もしくは嵌合等によって固着して成るものが多く存在している。
【特許文献１】特になし
【考案の開示】
【考案が解決しようとする課題】
【０００３】
しかしながら、従来においては、一体成形により種々のキャラクターを模したもの、例えばその顔をリングに備えて成る面白味や楽しみのある指輪玩具は未だ存在しないのであった。また、従来の指輪玩具は、リングの外面に、硬質な合成樹脂材から成る宝石形態の装飾物が支持台座を介して突起状に固着してあるため、子供が指輪玩具を指に嵌めて遊んでいる際に、この装飾物を周辺の異物にぶつけたり、引っ掛けたりしてしまうことで簡単に分離・破損してしまうことがある。また、宝石形態の装飾物自体は硬質な合成樹脂材から成るため、子供が指に嵌めて遊んでいるうちに他人や自分の目等にぶつけることもあり、非常に危険であるという問題点を有していた。
【０００４】
そこで、本考案は叙上のような従来存した諸事情に鑑み創案されたもので、子供が指に嵌めて遊んでいる際に、周辺の異物にぶつけたり引っ掛けたりしても分離・破損してしまうのを防止でき、また子供が指に嵌めて遊んでいるうちに万が一、他人や自分の目等にぶつけても危険性の少ないものとし、さらにキャラクター的に面白味や楽しみの倍増した指輪玩具を提供することを目的とする。
【課題を解決するための手段】
【０００５】
上述した課題を解決するため、本考案にあっては、種々のキャラクターを模した、すなわちキャラクターの一部例えばその顔を模した外形・形態を呈する軟質装飾体２と、指Ｐの外径に略対応すべく該軟質装飾体２の左右両側から一体円弧状に延設された軟質リングアーム３とを備えたものである。
軟質装飾体２および軟質リングアーム３の素材として合成ゴムを使用することができる。
また、合成ゴムは、施色可能で射出・押出成形可能な非結晶性プラスチックであるものとできる。
【０００６】
以上のように構成された本考案に係る指輪玩具にあって、軟質装飾体２の左右両側から一体円弧状に延設された軟質リングアーム３は、指Ｐに装着する際に当該軟質リングアーム３を拡径方向に撓曲させながら指Ｐに嵌め込み可能にさせ、装着後には軟質リングアーム３で指Ｐをしっかりと挟持させる。
そして、種々のキャラクターを模した軟質装飾体２は、これ自体が柔軟性を有しているため、周辺の異物にぶつけてもその衝撃を吸収緩和させ、破損を生じさせない。
また、軟質装飾体２は、軟質リングアーム３と一体となっているため、周辺の異物に引っ掛けても当該軟質装飾体２を軟質リングアーム３から分離・破損させない。
さらに、軟質装飾体２および軟質リングアーム３の素材として使用する非結晶性プラスチックによる合成ゴムは、射出・押出成形による一体成形加工を容易にさせ、しかも成形時において可塑剤の添加によって合成ゴム自体の硬度を任意に変更可能にさせる。
また、成形加工後には、キャラクターに合わせた種々の部分の施色を可能にさせる。
【考案の効果】
【０００７】
本考案によれば、例えば子供が指Ｐに嵌めて遊んでいる際に、周辺の異物例えば家具、各種玩具その他にぶつけたり、引っ掛けたりしても分離・破損してしまうことがなく、また子供が指Ｐに嵌めて遊んでいるうちに万が一、他人や自分の目、身体等にぶつけても危険性が少なく、さらにキャラクター的に面白味や楽しみが倍増した指輪玩具とすることができる。
【０００８】
すなわち、これは本考案が、種々のキャラクターを模した軟質装飾体２と、指Ｐの外径に略対応すべく該軟質装飾体２の左右両側から一体円弧状に延設された軟質リングアーム３とを備えたからである。これにより、子供が指に嵌めて遊んでいる際に、周辺の異物にぶつけたり、引っ掛けたりしても装飾部分である軟質装飾体２を分離・破損してしまうのを防止できる。
【０００９】
また、軟質装飾体２および軟質リングアーム３の素材として合成ゴムを使用したので、自体の柔軟性により、周辺の異物にぶつけてもその衝撃を吸収緩和でき、これによって軟質装飾体２の破損を未然に防止できる。
【００１０】
さらに、合成ゴムは、施色可能で射出・押出成形可能な非結晶性プラスチックであるので、射出・押出成形による一体成形加工が容易である。しかも成形時において可塑剤の添加により合成ゴム自体の硬度を任意の大きさに変更できる。また、成形加工後には、キャラクターの例えば顔に合わせた種々の部分の施色が可能となる。
【００１１】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１２】
以下、図面を参照して本考案を実施するための最良の一形態を説明する。図において示される符号１は、例えば子供が指Ｐに嵌めて遊ぶための指輪玩具である。該指輪玩具１は、図１乃至図３に示すように、種々のキャラクターにおける身体等の一部、例えば顔その他の部位として、例えば犬・猫等の立体的な顔を造形して成る軟質装飾体２と、指Ｐの外径に略対応した内径を有するよう該軟質装飾体２の左右両側から一体円弧状に延設され、次第に縦幅が小さくなった軟質リングアーム３とから構成され、全体として略Ｃリング状の形態を呈するものとしてある。
【００１３】
軟質装飾体２および軟質リングアーム３から成る指輪玩具１の素材としては、非結晶性プラスチックである例えば施色可能で射出・押出成形可能なスチレン・ブタジエン・スチレン（ＳＢＳ）、アクリロニトリル・ブタジエン・スチレン（ＡＢＳ）樹脂、塩化ビニル樹脂（ＰＶＣ）等の合成ゴムとしてある。これらの樹脂は、成形時において溶融樹脂材Ｑに所定量の可塑剤Ｒを加える（図４参照）ことにより、その硬さを自在に変えることができ、これによって成形後の指輪玩具１全体の硬度を任意に変更できる。
【００１４】
また、指輪玩具１全体は、例えば薄いピンク等に施色され、軟質装飾体２自体の一部分の施色としては、キャラクターの顔のうち例えば目・口・眉毛等を茶色等で、鼻・耳等を濃いピンク等で施色してある。もとより、軟質装飾体２自体は顔のみでなく、そのキャラクターを特徴づける身体におけるその他の一部であっても良く、さらには携帯物、持物等を模したものでも良い。
【００１５】
尚、軟質装飾体２を形成するキャラクターの顔としては、犬・猫等の顔以外に、例えばミッキーマウス・ミニーマウス・ドナルドダック・デイジーダック・ダンボ・ステイッチ・ピグレット・くまのプーさん（いずれも登録商標）等の立体的な顔を採用しても良い。  
【００１６】
次に、以上のように構成された最良の形態についての製造・使用の一例について説明する。指輪玩具１を製造する場合は、図４に示すように、指輪玩具１の軟質装飾体造形部４および軟質リングアーム造形部５のキャビティを連設形成した射出成形用の金型６の注入用小孔７から、可塑剤Ｒを添加し撹拌して成る溶融樹脂材Ｑを、例えば不図示の加圧注入用シリンダーによってキャビティ内に向けて高圧で注入し、固化させて製造する。
【００１７】
指輪玩具１の使用に際しては、図１に示すように、指Ｐに指輪玩具１を装着する場合、軟質装飾体２の左右両側から一体円弧状に延設された軟質リングアーム３は、図３に示すように、拡径方向に撓曲されながら指Ｐに嵌める。そして、装着後には軟質リングアーム３の縮径方向への弾性復帰力でもって指Ｐをしっかりと挟持させるのである。したがって、指Ｐのサイズの大きさによらずに指輪玩具１を容易に装着でき、例えば太い指である大人でも使用可能である。
【図面の簡単な説明】
【００１８】
【図１】本考案を実施するための最良の形態における指輪玩具の使用状態を示す斜視図である。
【図２】同じく指輪玩具の使用状態を示す正面図である。
【図３】同じく指輪玩具の使用状態を示す断面図である。
【図４】同じく指輪玩具の製造方法における射出用の金型の一例を示す断面図である。
【符号の説明】
【００１９】
Ｐ…指                                  Ｑ…溶融樹脂材
Ｒ…可塑剤
１…指輪玩具                            ２…軟質装飾体
３…軟質リングアーム                    ４…軟質装飾体造形部
５…軟質リングアーム造形部              ６…金型
７…注入用小孔
【図１】
0003126033.tif 000003
【図２】
0003126033.tif 000004
【図３】
0003126033.tif 000005
【図４】
0003126033.tif 000006